(57)【特許請求の範囲】
【請求項１】
前後方向、左右方向、及び高さ方向を備え、
尿が通過する複数の穴が設けられ、排泄物処理材が設置される尿通過部と、
前記尿通過部よりも下方に設けられ、吸収体が設置される吸収体設置部と、
前記尿通過部よりも上方に設けられ、動物が出入りするための開口部と、
前記開口部の左右両側に設けられた側壁と、
を備えた動物用トイレであって、
カバーと、上容器と、下容器と、トレイを備え、
前記尿通過部は、前記上容器に設けられており、前記吸収体設置部は、前記トレイに設けられており、前記開口部は、前記カバーに設けられており、
前記側壁は、前記カバーの一部、前記上容器の一部、及び前記下容器の一部を有し、
前記前後方向における中央位置よりも前方の前方領域における前記側壁の最大高さは、前記中央位置よりも後方の後方領域における前記側壁の最小高さより小さく、
前記前方領域における前記開口部の最大開口幅は、前記後方領域における前記開口部の最大開口幅よりも大きく、
前記カバーにおいて、前記前方領域における前記側壁の内側への最大傾きは、前記後方領域における前記側壁の内側への最大傾きよりも小さいことを特徴とする動物用トイレ。
【請求項２】
請求項１に記載の動物用トイレであって、
前記側壁は、後方から前方にかけて連続的に低くなっていることを特徴とする動物用トイレ。
【請求項３】
請求項２に記載の動物用トイレであって、
前記側壁が低くなる度合いが途中で変化することを特徴とする動物用トイレ。
【請求項４】
請求項３に記載の動物用トイレであって、
前記前方領域における前記側壁が低くなる度合いは、前記後方領域における前記側壁が低くなる度合いよりも大きいことを特徴とする動物用トイレ。
【請求項５】
請求項１〜４のいずれか１項に記載の動物用トイレであって、
前記前後方向に沿って前方から見た状態において、
前記開口部における前記高さ方向の中央部の幅よりも、前記開口部の上方部の幅の方が狭く、前記開口部の中央部の幅よりも、前記開口部の下方部の幅の方が狭いことを特徴とする動物用トイレ。
【請求項６】
請求項１〜５のいずれか１項に記載の動物用トイレであって、
前記上容器は、内側において最も下方に位置する底面部を有し、
前記前後方向において、前記底面部の中央は、前記中央位置よりも後方に位置することを特徴とする動物用トイレ。
【請求項７】
請求項１〜６の何れか１項に記載の動物用トイレであって、
前記カバーは、前記開口部よりも前方に、前方壁部を有し、
前記前方壁部の断面は、外側に突である形状、又は平面形状のみを有することを特徴とする動物用トイレ。
【発明の詳細な説明】
【技術分野】
【０００１】
本発明は、動物用トイレに関する。
【背景技術】
【０００２】
従来、動物用トイレとして、特許文献１に示すように、室内で飼育される猫等の動物が使用するものが知られている。この動物用トイレは、動物が出入りするための開口及び尿が通過する液通過性の底面部を有する上部容器と、底面部を通過した尿を吸収する吸液シートを配置する配置容器を収容する収容部を有する下部容器と、動物の出入り方向を規制するためのカバーとを備えている。上部容器の底面部における尿通過領域には、粒状物が撒設される。
【０００３】
カバーは、略矩形状の周縁枠の三方に壁体が立設されると共に、残り一方に動物の出入り口を有する平面視略コ字状箱体であり、上部容器に着脱自在に取り付けられる。壁体は、尿通過領域に撒設された粒状物を動物が排尿部分にかけた場合にこの粒状物の飛び散りを防止できるよう高く形成されている。また、対向する一対の壁体が、動物の出入り口側おいて内側に入り込むように形成されている。
【先行技術文献】
【特許文献】
【０００４】
【特許文献１】特開２００９−１１１８１号公報
【発明の概要】
【発明が解決しようとする課題】
【０００５】
特許文献１に記載された動物用トイレでは、カバーが高い壁体を有すると共に動物の出入り口の幅が狭く形成されているため、トイレ内にいる動物にとっては、外部の様子（例えば他の動物等の接近）が確認しづらかった。
【０００６】
本発明は、上記のような問題に鑑みてなされたものであって、その目的とするところは、内部にいる動物が外部の様子を確認しやすい動物用トイレを提供することにある。
【課題を解決するための手段】
【０００７】
上記目的を達成するための主たる発明は、前後方向、左右方向、及び高さ方向を備え、
尿が通過する複数の穴が設けられ、排泄物処理材が設置される尿通過部と、
前記尿通過部よりも下方に設けられ、吸収体が設置される吸収体設置部と、
前記尿通過部よりも上方に設けられ、動物が出入りするための開口部と、
前記開口部の左右両側に設けられた側壁と、
を備えた動物用トイレであって、
カバーと、上容器と、下容器と、トレイを備え、
前記尿通過部は、前記上容器に設けられており、前記吸収体設置部は、前記トレイに設けられており、前記開口部は、前記カバーに設けられており、
前記側壁は、前記カバーの一部、前記上容器の一部、及び前記下容器の一部を有し、
前記前後方向における中央位置よりも前方の前方領域における前記側壁の最大高さは、前記中央位置よりも後方の後方領域における前記側壁の最小高さより小さく、
前記前方領域における前記開口部の最大開口幅は、前記後方領域における前記開口部の最大開口幅よりも大きく、
前記カバーにおいて、前記前方領域における前記側壁の内側への最大傾きは、前記後方領域における前記側壁の内側への最大傾きよりも小さいことを特徴とする動物用トイレである。
本発明の他の特徴については、本明細書及び添付図面の記載により明らかにする。
【発明の効果】
【０００８】
本発明によれば、トイレ内にいる動物が外部の様子を確認しやすくなる。
【図面の簡単な説明】
【０００９】
【図１】本発明の実施形態に係る動物用トイレの一構成例を示しており、図１Ａは斜視図、図１Ｂは上面図である。
【図２】動物用トイレの分解説明図である。
【図３】動物用トイレの側面図である。
【図４】カバーの上面図である。
【図５】カバーを前方向から見た図である。
【図６】図６Ａは本実施形態に係るカバーの前方壁の断面拡大図であり、図６Ｂは変形例に係るカバーの前方壁の断面拡大図である。
【発明を実施するための形態】
【００１０】
本明細書及び添付図面の記載により、少なくとも以下の事項が明らかとなる。
【００１１】
前後方向、左右方向、及び高さ方向を備え、尿が通過する複数の穴が設けられ、排泄物処理材が設置される尿通過部と、前記尿通過部よりも下方に設けられ、吸収体が設置される吸収体設置部と、前記尿通過部よりも上方に設けられ、動物が出入りするための開口部と、前記開口部の左右両側に設けられた側壁と、を備えた動物用トイレであって、前記前後方向における中央位置よりも前方の前方領域における前記側壁の最大高さは、前記中央位置よりも後方の後方領域における前記側壁の最小高さより小さく、前記前方領域における前記開口部の最大開口幅は、前記後方領域における前記開口部の最大開口幅よりも大きい動物用トイレが明らかとなる。これにより、トイレ内にいる動物が外部の様子を確認しやすくなる。また、動物はトイレ内に入りやすくなる。
【００１２】
かかる動物用トイレであって、前記側壁は、後方から前方にかけて連続的に低くなっていることが望ましい。これにより、トイレ内にいる動物にとっては前方向における視界がより広がり、外部の様子を確認しやすくなる。
【００１３】
かかる動物用トイレであって、前記側壁が低くなる度合いが途中で変化することが望ましい。これにより、シャベル等の道具を側壁に引っ掛けた場合であっても、道具が前方向へ滑りにくく安定して側壁に引っ掛けておくことができる。
【００１４】
かかる動物用トイレであって、前記前方領域における前記側壁が低くなる度合いは、前記後方領域における前記側壁が低くなる度合いよりも大きいことが望ましい。これにより、前方向における視界を広げることができると共に、後方領域においてシャベル等の道具を側壁に引っ掛けることが可能である。
【００１５】
かかる動物用トイレであって、前記前後方向に沿って前方から見た状態において、前記開口部における前記高さ方向の中央部の幅よりも、前記開口部の上方部の幅の方が狭く、前記開口部の中央部の幅よりも、前記開口部の下方部の幅の方が狭いことが望ましい。これにより、飼い主がトイレ内の後方までより視認しやすくなる。
【００１６】
かかる動物用トイレであって、カバーと、上容器と、下容器と、トレイを備え、前記尿通過部は、前記上容器に設けられており、前記吸収体設置部は、前記トレイに設けられており、前記開口部は、前記カバーに設けられており、前記側壁は、前記カバーの一部、前記上容器の一部、及び前記下容器の一部を有することが望ましい。これにより、各部材に分解することができ、清掃等の作業性が向上する。
【００１７】
かかる動物用トイレであって、前記上容器は、内側において最も下方に位置する底面部を有し、前記前後方向において、前記底面部の中央は、前記中央位置よりも後方に位置することが望ましい。これにより、前方領域よりも高く形成された後方領域の側壁によって排泄処理材の飛び散りを抑制することが可能である。
【００１８】
かかる動物用トイレであって、前記カバーにおいて、前記前方領域における前記側壁の内側への最大傾きは、前記後方領域における前記側壁の内側への最大傾きよりも小さいことが望ましい。これにより、トイレ内にいる動物の前方領域の左右方向における視界が広がると共に、後方領域では上容器に撒かれる排泄物処理材の飛び散りを抑制することができる。
【００１９】
かかる動物用トイレであって、前記カバーは、前記開口部よりも前方に、前方壁部を有し、前記前方壁部の断面は、外側に突である形状、又は平面形状のみを有することが望ましい。これにより、動物がトイレ内に入る際に窪みに前足が入ってしまうおそれがなく、安定して前足を置くことができるため、動物はトイレ内に入りやすくなる。
【００２０】
＝＝＝実施形態＝＝＝
本発明の実施形態にかかる動物用トイレは、例えば室内で飼われる猫等の動物が使用するものである。本明細書中における「動物」とは、猫、犬、ウサギ、ハムスター等のいわゆるペットやトラ、ライオンの赤ちゃん等も含む。
【００２１】
例えば、動物が猫である場合における動物用トイレの使用方法としては次の通りである。猫が動物用トイレ内に入り、例えば猫砂やサンド等と呼ばれる排泄物処理材の上から排尿や排便をする。その後、猫は排泄物処理材を足でかいて排泄物を隠す。飼い主等は、排泄物で汚れた部分の排泄物処理材を排泄物と共に動物用トイレ内から取り除き、取り除いた分だけ新しい排泄物処理材を補充する。
【００２２】
＜動物用トイレ１の全体構成＞
動物用トイレ１の全体構成について、図１Ａ及び図１Ｂ並びに図２を参照して説明する。
【００２３】
図１Ａ及び図１Ｂは、本発明の実施形態に係る動物用トイレ１の一構成例を示しており、図１Ａは斜視図、図１Ｂは上面図である。図２は、動物用トイレ１の分解説明図である。
【００２４】
動物用トイレ１は、例えば室内の床等の上に設置されて使用されるものであり、前後方向、左右方向、及び高さ方向を備える。本実施形態では、動物用トイレ１は、前後方向に長手方向を有し、左右方向に短手方向を有する。なお、前後方向、左右方向、及び高さ方向は、互いに直交する方向である。以下の説明において、高さ方向のうち動物用トイレ１の設置面側を下方向とし、その反対側を上方向とする。
【００２５】
動物用トイレ１は、上容器２、トレイ３、カバー４、及び下容器５の４つの部材から構成されている。本実施形態では、４つの部材に分かれて構成されていることで各部材に分解することが可能となり、清掃等の作業性を向上させることができる。上容器２、トレイ３、カバー４、及び下容器５は、例えばポリエチレン（ＰＥ）、ポリプロピレン（ＰＰ）、ポリエチレンテレフタレート（ＰＥＴ）等の樹脂を成形加工してなる。
【００２６】
動物用トイレ１の組み付け方法は次の通りである。図２に示すように、下容器５の上方から上容器２を組み付ける。そして、上容器２が組み付けられた下容器５に対して上容器２の上方からカバー４を組み付ける。トレイ３は、下容器５に対して前後方向にスライド可能であり、下容器５内に収容される。
【００２７】
以下の説明において、前後方向のうちトレイ３を下容器５内に収容する方向を後方向とし、トレイ３を下容器５内から引き出す方向を前方向とする。さらに、図１Ｂに示すように、前後方向における中央位置をＣとし、中央位置Ｃよりも前方の領域を前方領域１１、中央位置Ｃよりも後方の領域を後方領域１２とする。
【００２８】
上容器２は、上方が開口した箱状の部材であり、内側において最も下方に位置する底面部２２と、底面部２２の前方の一端から斜め上方に向かって延出した傾斜部２２０と、底面部２２の周縁から上方に向かって立設した側面２３と、側面２３の上方端を下方に向かって折り返して形成されたリブ２４とを有している。
【００２９】
底面部２２は、図１Ｂに示すように、中央２２ａが中央位置Ｃよりも後方に位置している。尿が通過する複数の穴２１０が設けられ、排泄物処理材が設置される尿通過部２１は、本実施形態では、底面部２２に設けられている。したがって、前後方向において底面部２２が後方領域１２側に偏って位置しているため、排泄物処理材は中央位置Ｃよりも後方に設置されることとなる。なお、尿通過部２１は必ずしも底面部２２だけに設けられている必要はなく、例えば傾斜部２２０側に亘って設けられていてもよい。この場合であっても、尿通過部２１上に設置される排泄物処理材は最も下方に位置する底面部２２に堆積するため、排泄物処理材の位置は後方領域１２側となる。
【００３０】
図２に示すように、リブ２４には、前後方向の中央かつ左右方向に対向する位置に、切り欠き２４０がそれぞれ形成されている。これにより、飼い主等が切り欠き２４０に指を掛けて上容器２を下容器５に組み付けたり、上容器２を下容器５から取り外したりすることが可能となり作業がしやすくなる。なお、図２では、２つの切り欠き２４０のうち一方の切り欠き２４０のみを示している。
【００３１】
トレイ３は、高さ方向（上下方向）の厚さが薄く形成された部材であり、上方が開口した吸収体設置部３１と、下容器５から出し入れするための取っ手３２とを有している。排泄物処理材の上から排泄された尿は、上容器２の尿通過部２１を通過して、尿通過部２１よりも下方に設けられた吸収体設置部３１に設置された吸収体に吸収される。吸収体は、例えば高分子吸収材を含有した吸収シートである。
【００３２】
取っ手３２は、図２に示すように、前後方向の両端にそれぞれ形成されており、トレイ３を前後逆さまにして使用することも可能である。なお、図２において吸収体設置部３１を破線で示している。
【００３３】
カバー４は、動物が出入りするための開口部４１と、開口部４１の左右方向の両側にそれぞれ設けられた側壁部４２と、開口部４１の前方に設けられた前方壁部４３と、開口部４１の後方に設けられた後方壁部４４と、側壁部４２、前方壁部４３、及び後方壁部４４の下方端から下方向に向かって延出する延出部４５とを有している。本実施形態では、側壁部４２、前方壁部４３、後方壁部４４、及び延出部４５は一体に形成されている。また、カバー４は、底面を有しておらず、高さ方向（上下方向）に貫通している。
【００３４】
開口部４１は、尿通過部２１よりも上方に設けられている。側壁部４２は、本実施形態では、開口部４１の左右両側に設けられた側壁４ａの一部を構成している。図１Ａ及び図２に示すように、側壁部４２は、高さ方向において、後方領域１２の上端が前方領域１１の上端よりも上側に位置している。ここで、前述したように、排泄物処理材は後方領域１２側に位置することから、排泄物処理材を猫がかいた場合であっても、前方領域１１よりも上端位置が高い後方領域１２の側壁部４２によって排泄物処理材の飛び散りを抑制することが可能となる。
【００３５】
図１Ａ及び図１Ｂに示すように、側壁部４２及び後方壁部４４は、上方端が内側（開口部４１側）かつ下方向に折り込まれた折り込み部４ｂを有している。また、前方壁部４３は、前方向に面した前面部４３１と上方向に面した上面部４３２とを有している。上面部４３２は、側壁部４２及び後方壁部４４の当該折り込み部４ｂから連続して形成されている。
【００３６】
延出部４５は、下方に向かって延出する嵌合片４５１を前後方向の中央かつ左右方向に対向する位置にそれぞれ有している。嵌合片４５１には、貫通穴４５１ａが形成されている。本実施形態では、貫通穴４５１ａは猫の顔の形状に形成されている。
【００３７】
下容器５は、上容器２と同様に上方が開口した箱状の部材であり、底面５１と、底面５１の左右方向の両端から上方に立設した側壁部５２と、底面５１の前方端から上方に立設した前方壁部５４と、底面５１の後方端から上方に立設した後方壁部５５と、側壁部５２、前方壁部５４、及び後方壁部５５の上方端を下方に向かって折り返して形成されたリブ５６とを有している。本実施形態では、側壁部５２及びリブ５６は、開口部４１の左右両側に設けられた側壁４ａの一部を構成している。また、下容器５の内部には、トレイ３を収容するための収容部５７が形成されている。なお、図２において、収容部５７を破線で示している。
【００３８】
前方壁部５４には、図２に示すように、収容部５７に対してトレイ３を出し入れするための出入り口５４ａが形成されている。また、図１Ａに示すように、前方壁部５４には、トレイ３の取っ手３２に手を掛けやすくするための凹部５４ｂが形成されている。
【００３９】
リブ５６は、下方に向かって延出する嵌合片５６２を前後方向の中央かつ左右方向に対向する位置にそれぞれ有している。嵌合片５６２には、略楕円形上の凸部５６２ａが形成されている。図１Ａに示すように、この凸部５６２ａは、カバー４の嵌合片４５１に形成された貫通穴４５１ａに嵌合する。
【００４０】
また、リブ５６の上方端には、上方に向かって突出した２つの突起５６１がそれぞれ左右方向に対向する位置に設けられている。上容器２を下容器５に組み付けた際、これらの突起５６１が上容器２のリブ２４の形成時に上容器２の上方端を折り返すことによって形成された空間内に介在することにより、下容器５に対する上容器２の左右方向の移動が規制される。本実施形態では、上容器２を下容器５に組み付けた状態において、上容器２のリブ２４は下容器５のリブ５６上に位置しており、下容器５の側壁部５２及びリブ５６と共に側壁４ａの一部を構成している。
【００４１】
＜側壁４ａの形状＞
次に、側壁４ａの形状について、図３を参照して説明する。
【００４２】
図３は、動物用トイレ１の側面図である。図３において、下容器５のリブ５６及び上容器２のリブ２４を破線で示している。
【００４３】
図３に示すように、動物用トイレ１は、前後方向における中央位置Ｃよりも前方の前方領域１１における側壁４ａの最大高さＨ１が、中央位置Ｃよりも後方の後方領域１２における側壁４ａの最小高さｈ２よりも小さい。これにより、動物用トイレ１内にいる動物の高さ方向（上下方向）における前方側の視認可能範囲が広がり、外部の様子を確認しやすくなる。また、前方領域１１において側壁４ａによる圧迫感が抑制されるため、動物用トイレ１内に動物が入りやすくなる。
【００４４】
本実施形態では、側壁４ａは、カバー４の側壁部４２、延出部４５、上容器２のリブ２４、下容器５の側壁部５２、及びリブ５６によって構成されている。すなわち、側壁４ａは、カバー４の一部、上容器２の一部、及び下容器５の一部を有している。したがって、「側壁４ａの高さ」とは、下容器５の底面５１からカバー４の側壁部４２の上端までの距離を示している。
【００４５】
側壁４ａは、後方から前方にかけて連続的に低くなっている。これにより、動物用トイレ１内にいる動物にとっては前方ほど視界がより広がるため、外部の様子をより確認しやすくなる。なお、側壁４ａは、必ずしも後方から前方にかけて連続的に低くなっている必要はなく、少なくとも前方領域１１における側壁４ａの最大高さＨ１が、後方領域１２における側壁４ａの最小高さｈ２よりも小さければ、側壁４ａの上端部分の形状は適宜変更可能である。
【００４６】
また、側壁４ａは、高さが低くなる度合いが途中で変化している。ここで、「度合い」とは、側壁４ａにおける前後方向の単位長さあたりの上端部分の上下方向の変化量のことをいう。側壁４ａの高さが低くなる度合いが小さい部分を設けることにより、例えば排泄物処理材をすくう際に使用するシャベル等の道具を側壁４ａに引っ掛けた場合であっても、道具が前方向へ滑りにくく安定して側壁４ａに引っ掛けておくことができる。なお、側壁４ａは、必ずしも高さが低くなる度合いが途中で変化する必要はなく、一定の度合いで低くなっていてもよい。
【００４７】
本実施形態では、前方領域１１における側壁４ａが低くなる度合いＲ１が後方領域１２における側壁４ａが低くなる度合いＲ２よりも大きい。すなわち、後方領域１２における側壁４ａは、前方領域１１における側壁４ａよりも緩やかに低くなっている。
【００４８】
なお、必ずしも前方領域１１における側壁４ａが低くなる度合いＲ１が後方領域１２における側壁４ａが低くなる度合いＲ２よりも大きい必要はないが、このようにすることにより、動物用トイレ１内に動物の前方向における視界を広げることができると共に、後方領域１２においては道具を側壁４ａに引っ掛けた場合でも前方領域１１と比較して滑りにくく側壁４ａに安定して道具を保持することが可能となる。
【００４９】
＜カバー４の形状＞
次に、カバー４の形状について、図４及び図５を参照して説明する。
【００５０】
図４は、カバー４の上面図である。図５は、カバー４を前方向から見た図である。
【００５１】
図４に示すように、カバー４は、前方領域１１における開口部４１の最大開口幅Ｗ１が、後方領域１２における開口部４１の最大開口幅Ｗ２よりも大きい（Ｗ１＞Ｗ２）。これにより、動物用トイレ１内にいる動物の前方側の左右方向における視界が広がり、外部の様子を確認しやすくなる。また、飼い主等が前方から動物用トイレ１内を見た場合に動物用トイレ１内にある排泄物等を視認しやすくなると共に、動物用トイレ１の清掃等をする際には内部に手が入れやすくなるため、作業性の向上につながる。本実施形態では、開口部４１を上方向から見た場合、四隅が丸みを帯びた台形状である。
【００５２】
動物用トイレ１は、前方領域１１における側壁４ａの高さが後方領域１２における側壁４ａの高さよりも低く形成されると共に、前方領域１１における開口部４１の開口幅が後方領域１２における開口部４１の開口幅よりも大きいため、動物用トイレ１内にいる動物にとって前方側における外部の様子がより確認しやすくなっている。
【００５３】
図５に示すように、カバー４は、前後方向に沿って前方から見た状態において、開口部４１における高さ方向の中央部の幅Ｗｃよりも開口部４１の上方部の幅Ｗｕの方が狭く（Ｗｕ＜Ｗｃ）、開口部４１の中央部の幅Ｗｃよりも開口部４１の下方部の幅Ｗｄの方が狭く形成されている（Ｗｄ＜Ｗｃ）。前方から後方を見た場合、後方側壁部４４の内側の角部まで視認可能となるため、飼い主等が動物用トイレ１内の後方までより視認しやすくなる。本実施形態では、下方部の幅Ｗｄは、上方部の幅Ｗｕよりも狭く形成されている（Ｗｄ＜Ｗｕ＜Ｗｃ）。なお、必ずしも中央部の幅Ｗｃ、上方部の幅Ｗｕ、下方部の幅Ｗｄの順で狭く形成されている必要はなく、例えばすべて同じ幅寸法で形成されていてもよい。
【００５４】
また、カバー４は、側壁部４２が内側に倒れるように傾いている。より具体的には、図１Ａ及び図１Ｂならびに図５に示すように、側壁部４２は、前方から後方に向かって内側への倒れ角が大きくなっている。すなわち、カバー４において、前方領域１１における側壁部４２（側壁４ａ）の内側への最大傾きが、後方領域１２における側壁部４２（側壁４ａ）の内側への最大傾きよりも小さくなっている。
【００５５】
なお、これに限らず、例えば前方領域１１における側壁部４２の内側への最大傾きと後方領域１２における側壁部４２の内側への最大傾きとが同じでもよいが、このようにすることにより、動物用トイレ１内にいる動物の前方領域１１の左右方向における視界が広がると共に、後方領域１２では側壁部４２がより内側に倒れて形成されているため、尿通過部２１上に設置される排泄物処理材の飛び散りを抑制することができる。
【００５６】
＜カバー４の前方壁部４３の構成＞
次に、カバー４の前方壁部４３の構成について、図６Ａ及び図６Ｂを参照して説明する。
【００５７】
図６Ａは本実施形態に係るカバー４の前方壁部４３の断面拡大図であり、図６Ｂは変形例に係るカバー４の前方壁部４３３の断面拡大図である。
【００５８】
図６Ａに示すように、カバー４の前方壁部４３は、前面部４３１が上面部４３２の一端から下方に向かって上面部４３２に対して交差する方向に延在している。したがって、前方壁部４３の断面は、外側に突である形状を有している。
【００５９】
なお、前方壁部４３の断面は、必ずしも外側に突である形状を有しておらず、例えば内側に突である形状を有していてもよいが、この場合前方壁部４３が窪んでいることによって動物が動物用トイレ１内に入る際に窪みに前足が入ってしまい、姿勢を崩すおそれがある。一方、前方壁部４３の断面が外側に突である形状を有している場合には、動物は上面部４３２上に安定して前足を置くことができるため、動物用トイレ１内に動物が入りやすくなる。
【００６０】
また、図６Ｂに示すような変形例も考え得る。変形例に係る前方壁部４３３は、本実施形態に係る前方壁部４３と異なり前面部４３１を有さず、上面部のみで構成されている。すなわち、前方壁部４３３の断面は、図６Ｂに示すように、平面形状のみを有している。この場合であっても、動物は断面が平面形状である前方壁部４３３上に安定して前足を置くことができる。
【００６１】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００６２】
上記の実施形態では、動物用トイレ１は、上容器２、トレイ３、カバー４、及び下容器５の４つの部材を組み合わせて構成され、側壁４ａは、カバー４の一部、上容器２の一部、及び下容器５の一部を有していたが、これに限らず、例えば上容器２と下容器５とが一体に形成されていてもよいし、上容器２及び下容器５ならびにカバー４が一体に形成されていてもよく、用途に応じて適宜変更することが可能である。すなわち、動物用トイレ１は、少なくとも、尿通過部２１と、尿通過部２１よりも下方に設けられた吸収体設置部３１と、尿通過部２１よりも上方に設けられた開口部４１と、開口部４１の左右両側に設けられた側壁４ａとを備えていればよい。
【符号の説明】
【００６３】
１…動物用トイレ
２…上容器
３…トレイ
４…カバー
４ａ…側壁
５…下容器
１１…前方領域
１２…後方領域
２１…尿通過部
２２…底面部
３１…吸収体設置部
４１…開口部
４３…前方壁部
２１０…穴
Ｃ…中央位置
【要約】
【課題】内部にいる動物が外部の様子を確認しやすい動物用トイレを提供する。
【解決手段】前後方向、左右方向、及び高さ方向を備え、尿が通過する複数の穴２１０が設けられ、排泄物処理材が設置される尿通過部２１と、尿通過部２１よりも下方に設けられ、吸収体が設置される吸収体設置部３１と、尿通過部２１よりも上方に設けられ、動物が出入りするための開口部４１と、開口部４１の左右両側に設けられた側壁４ａと、を備えた動物用トイレ１であって、前後方向における中央位置Ｃよりも前方の前方領域１１における側壁４ａの最大高さＨ１は、中央位置Ｃよりも後方の後方領域１２における側壁４ａの最小高さｈ２より小さく、前方領域１１における開口部４１の最大開口幅Ｗ１は、後方領域１２における開口部４１の最大開口幅Ｗ２よりも大きい。
【選択図】図１【図１】
0005768199.tif 000002
【図２】
0005768199.tif 000003
【図３】
0005768199.tif 000004
【図４】
0005768199.tif 000005
【図５】
0005768199.tif 000006
【図６】
0005768199.tif 000007